(57)【要約】【課題】移送面上の位置が認識されうる検査室試料分配システムを提供すること。このような検査室試料分配システムを備えるラボラトリーオートメーションシステムを提供すること。【解決手段】本発明は、移送面上に置かれた光学的に認識可能な複数の幾何学形状、またはこのような幾何学形状を描くための平らなテンプレートを備える、検査室試料分配システムに関する。さらに、本発明は、このような検査室試料分配システムを備えるラボラトリーオートメーションシステムに関する。【選択図】図１
2018119962.tif 000002
【特許請求の範囲】
【請求項１】
−  移送面（１１０）と、
−  複数の試料容器キャリア（１４０）と、
−  前記試料容器キャリア（１４０）を前記移送面（１１０）上で動かすように構成された駆動手段（１２０）と、
−  前記試料容器キャリア（１４０）が対応する移送経路に沿って動くように、前記駆動手段（１２０）を駆動することによって、前記試料容器キャリア（１４０）の前記移送面（１１０）上での動きを制御するように構成された制御装置（１５０）と
を備え、
−  光学的に認識可能な複数の幾何学形状（１１２、１１４）が、前記移送面（１１０）に置かれ、それぞれの幾何学形状（１１２、１１４）が、前記移送面（１１０）上の専用のフィールドを表す、
検査室試料分配システム（１００）。
【請求項２】
−  前記幾何学形状（１１２、１１４）が、前記移送面（１１０）にプリントされることを特徴とする、
請求項１に記載の検査室試料分配システム（１００）。
【請求項３】
−  前記幾何学形状（１１２、１１４）が、前記移送面（１１０）を覆うシートにプリントされることを特徴とする、
請求項１または２に記載の検査室試料分配システム（１００）。
【請求項４】
−  前記幾何学形状（１１２、１１４）が、移送中および／または設置中に前記移送面（１１０）の摺動面を保護する、取外し可能な被覆シートにプリントされることを特徴とする、
請求項１から３のいずれか一項に記載の検査室試料分配システム（１００）。
【請求項５】
−  前記幾何学形状（１１２、１１４）の第１のグループが、入口フィールドのセットを表すことを特徴とする、
請求項１から４のいずれか一項に記載の検査室試料分配システム（１００）。
【請求項６】
−  前記幾何学形状（１１２、１１４）の第２のグループが、出口フィールドのセットを表すことを特徴とする、
請求項１から５のいずれか一項に記載の検査室試料分配システム（１００）。
【請求項７】
−  前記第１のグループの前記幾何学形状（１１２、１１４）が、前記第２のグループの前記幾何学形状（１１２、１１４）に対して１８０°回転されることを特徴とする、
請求項５および６に記載の検査室試料分配システム（１００）。
【請求項８】
−  前記幾何学形状（１１２、１１４）が、前記移送面（１１０）の縁部に隣り合う直線に沿って置かれることを特徴とする、
請求項１から７のいずれか一項に記載の検査室試料分配システム（１００）。
【請求項９】
−  移送面（１１０）と、
−  複数の試料容器キャリア（１４０）と、
−  前記試料容器キャリア（１４０）を前記移送面（１１０）上で動かすように構成された駆動手段（１２０）と、
−  前記試料容器キャリア（１４０）が対応する移送経路に沿って動くように、前記駆動手段（１２０）を駆動することによって、前記試料容器キャリア（１４０）の前記移送面（１１０）上での動きを制御するように構成された制御装置（１５０）と、
−  複数の穴（２１０、２２０）を有する平らなテンプレート（２００）であって、前記穴（２１０、２２０）が、幾何学形状（１１２、１１４）の輪郭を提供するように配置され、かつ構成され、その結果、前記テンプレート（２００）が前記移送面（１１０）に置かれるとき、前記テンプレート（２００）を使用して、前記移送面（１１０）上に、これらの幾何学形状（１１２、１１４）を、光学的に認識可能に描くことが可能であり、前記移送面（１１０）に描かれたそれぞれの幾何学形状（１１２、１１４）が、前記移送面（１１０）上の専用のフィールドを表す、平らなテンプレート（２００）と、
を備える、検査室試料分配システム（１００）。
【請求項１０】
−  前記テンプレート（２００）が、硬い紙またはプラスチック材料で作られることを特徴とする、
請求項９に記載の検査室試料分配システム（１００）。
【請求項１１】
−  前記幾何学形状（１１２、１１４）が、円であることを特徴とする、
請求項１から１０のいずれか一項に記載の検査室試料分配システム（１００）。
【請求項１２】
−  前記駆動手段が、前記移送面（１１０）の下に配置され、前記制御装置（１５０）によって制御可能である電磁作動装置（１２０）として形成され、
−  それぞれの前記試料容器キャリア（１４０）が、前記試料容器キャリア（１４０）に磁気駆動力が加えられるように、前記電磁作動装置（１２０）によって発生する磁界と相互に作用する、磁気的に活性な装置を備えることを特徴とする、
請求項１から１１のいずれか一項に記載の検査室試料分配システム（１００）。
【請求項１３】
−  前記幾何学形状（１１２、１１４）が、前記電磁作動装置（１２０）の位置に応じて配置されることを特徴とする、
請求項１２に記載の検査室試料分配システム（１００）。
【請求項１４】
−  好ましくは分析前ステーション、分析ステーションおよび／または分析後ステーションである複数の検査室ステーション（２０、３０）と、
−  請求項１から１３のいずれか一項に記載の検査室試料分配システム（１００）と
を備える、ラボラトリーオートメーションシステム（１０）。
【請求項１５】
−  前記検査室ステーション（２０、３０）のうちの１つのための、前記移送面（１１０）上の少なくとも１つの入口フィールドまたは出口フィールドが、前記幾何学形状（１１２、１１４）のうちの１つを使用して識別されることを特徴とする、
請求項１４に記載のラボラトリーオートメーションシステム（１０）。
【発明の詳細な説明】
【技術分野】
【０００１】
本発明は、検査室試料分配システムおよびラボラトリーオートメーションシステムに関する。
【背景技術】
【０００２】
知られている検査室試料分配システムは、通常は、試料容器に収容された試料を、様々な検査室ステーション間で移送するために、ラボラトリーオートメーションシステムで使用される。
【０００３】
通常の検査室試料分配システムは、文書ＷＯ２０１３／０６４６５６Ａ１に示されている。このような検査室試料分配システムは、高い処理能力をもたらし、信頼性の高い動作を可能にする。
【０００４】
いくつかの場合においては、検査室試料分配システムの移送面上のいくつかの位置に印を付けるのが望ましいことが判明している。
【先行技術文献】
【特許文献】
【０００５】
【特許文献１】ＷＯ２０１３／０６４６５６Ａ１
【発明の概要】
【発明が解決しようとする課題】
【０００６】
したがって、本発明の一目的は、移送面上の位置が認識されうる検査室試料分配システムを提供することである。本発明のさらなる目的は、このような検査室試料分配システムを備えるラボラトリーオートメーションシステムを提供することである。
【課題を解決するための手段】
【０００７】
この目的は、請求項１に記載の検査室試料分配システム、請求項９に記載の検査室試料分配システム、および請求項１４に記載のラボラトリーオートメーションシステムによって達成される。好ましい実施形態は、従属項において特許請求される。
【０００８】
本発明は、検査室試料分配システムに関する。この検査室試料分配システムは、移送面と、複数の試料容器キャリアと、これらの試料容器キャリアを移送面上で動かすように構成された駆動手段と、これらの試料容器キャリアが対応する移送経路に沿って動くように、この駆動手段を駆動することによって、これらの試料容器キャリアの移送面上での動きを制御するように構成された制御装置とを備える。
【０００９】
本発明によれば、光学的に認識可能な複数の幾何学形状が移送面に配置され、それぞれの幾何学形状は、この移送面上の専用のフィールドを表す。駆動手段は、格子を形成する行列状に配置されてもよく、この格子は、複数のフィールドを備える、または画定する。これらの光学的に認識可能な幾何学形状は、移送面に配置されて、いくつかの、またはすべてのフィールドを可視化することができる。これにより、移送面が通常不透明であることにより通常は目に見えない駆動手段を、図式的に可視化することができる。
【００１０】
この発明的な検査室試料分配システムを用いて、移送面上のフィールドに、光学的に認識されうる方式で、この幾何学形状で印を付けることができる。たとえば、これらのフィールドは、操作者によって、および／またはカメラもしくは他の光学式認識システムなどの技術的な手段によって認識されうる。
【００１１】
これらの幾何学形状は、閉じた幾何学形状でもよい。
一実施形態によれば、これらの幾何学形状は、移送面に直接プリントされる。「直接プリントされる」という言葉によって、これらの幾何学形状を描くある一定の量の色素が、移送面に直接配置されることが示唆されうる。あるいは、これらの幾何学形状は、たとえば、移送面の表面を加工することによって、たとえば移送面を部分的に取り除いたり粗面化したりすることによって、またレーザテクスチャリング、エッチングなどによって、移送面に直接プリントされうる。
【００１２】
一実施形態によれば、これらの幾何学形状は、移送面を覆うシートにプリントされる。このシートは、移送面とは別に提供されて、移送面上に置かれ、固定されてもよい。
一実施形態によれば、これらの幾何学形状は、移送中および／または設置中に移送面の摺動面を保護する、取外し可能な被覆シートにプリントされる。摺動面は、試料容器キャリアが移動または摺動する、移送面の表面である。これにより、これらの幾何学形状を提供する取外し可能な被覆シートが保護機能も有するような、さらなる機能がもたらされうる。
【００１３】
一実施形態によれば、これらの幾何学形状の第１のグループは、入口フィールドのセットを表す。たとえば、このような入口フィールドは、バーコードリーダ用、投入動作用、または移送面に、もしくはその移送面に移動可能に配置された試料容器キャリアに、試料容器を投入するのに必要な、把持装置または他の装置用に使用されうる。
【００１４】
一実施形態によれば、これらの幾何学形状の第２のグループは、出口フィールドのセットを表す。このような出口フィールドは、移送面上を動く試料容器キャリアから試料容器を取り出すために使用されうる。たとえば、把持装置または試料容器を他の要素に送るための手段は、このような出口フィールドを、試料容器が受け渡されうる、移送面上の特定のフィールドとして使用することができる。
【００１５】
一実施形態によれば、第１のグループの幾何学形状は、第２のグループの幾何学形状に対して１８０°回転される。したがって、入口フィールドと出口フィールドは、異なる場所に置かれてもよく、したがって動作が容易になる。たとえば、第１のグループの幾何学形状は、入口フィールドを表す第１の矢印として具体化されうる。第２のグループの幾何学形状は、出口フィールドを表す第２の矢印として具体化されうるが、この第２の矢印は、第１の矢印に対して１８０°回転される。言い換えれば、第１の矢印と第２の矢印は、逆の方向を指す。
【００１６】
一実施形態によれば、これらの幾何学形状は、移送面の縁部に隣り合う直線に沿って配置される。
本発明は、さらに、移送面と、複数の試料容器キャリアと、これらの試料容器キャリアを移送面上で動かすように構成された駆動手段と、これらの試料容器キャリアが対応する移送経路に沿って動くように、この駆動手段を駆動することによって、これらの試料容器キャリアの移送面上での動きを制御するように構成された制御装置とを備える、検査室試料分配システムに関する。複数の穴を有する平らなテンプレートが提供され、これらの穴は、幾何学形状の輪郭が提供されるような形状である。したがって、このテンプレートが移送面上に置かれるとき、このテンプレートを使用して、これらの幾何学形状を、光学的に認識可能に移送面上に描くことが可能である。特に、これらの幾何学形状は、閉じた幾何学形状でもよい。移送面に描かれたそれぞれの幾何学形状は、移送面上の専用のフィールドを表す。
【００１７】
このような平らなテンプレートを備える検査室試料分配システムを用いて、操作者が、特定の機能を有するいくつかのフィールドを画定できるように、移送面上に幾何学形状を描くのを可能にする手段（すなわちテンプレート）を備える、検査室試料分配システムを提供することができる。この平らなテンプレートは、移送面上の特定の場所に置かれるように構成されうる。この平らなテンプレートは、特有の固定手段を用いて固定されうる。さらに、この平らなテンプレートを位置決めする、かつ／または位置合わせする手段が提供されうる。
【００１８】
一実施形態によれば、このテンプレートは、硬い紙またはプラスチック材料で作られる。
この平らなテンプレートは、移送面と同じサイズでもよいことに留意されたい。これにより、この平らなテンプレートを、簡単かつ確実に移送面上に配置し、位置合わせすることが可能になる。
【００１９】
一実施形態によれば、これらの幾何学形状は円である。このような円は描くのが容易であり、通常使用される円形の試料容器キャリアに対応する。
一実施形態によれば、駆動手段は、格子を形成する行列状に移送面の下／真下に配置され、制御装置によって制御可能である電磁作動装置として形成される。それぞれの試料容器キャリアは、試料容器キャリアに磁気駆動力が加えられるように、これらの電磁作動装置によって発生する磁界と相互に作用する、磁気的に活性な装置を備える。これにより、特に試料容器キャリアを駆動するための、検査室試料分配システムの容易かつ信頼性の高い動作が可能になる。
【００２０】
一実施形態によれば、幾何学形状は、電磁作動装置の位置に応じて配置される。
この点に関しては、幾何学形状は、各電磁作動装置の中央上方に配置されてもよい。たとえば、移送面に対して垂直に延びている電磁作動装置のコイルの巻軸は、この電磁作動装置の中心を定めることができる。たとえば円の形をとるこれらの幾何学形状は、対応する電磁作動装置のコイルの巻軸と同軸に配置されうる。このことは、フィールドは通常各電磁作動装置によって画定されるという事実に合致する。あるいは、これらの幾何学形状のうち少なくともいくつかは、各電磁作動装置の中心に対して、（ｘ方向および／またはｙ方向の）所与の水平方向のオフセットを伴って配置されてもよい。これは、たとえば、試料容器キャリアに磁力を加える独自の電磁作動装置を有する外部装置が移送面に対して位置合わせされなければならない場合に、役に立つ可能性がある。
【００２１】
一実施形態によれば、これらの駆動手段は、試料容器キャリアに配置され、制御装置によって制御可能な電動モータによって駆動される車輪として形成される。これにより、試料容器キャリアが、それ自体の駆動手段によって推進することが可能になる。
【００２２】
本発明は、さらに、複数の検査室ステーション（好ましくは分析前ステーション、分析ステーションおよび／または分析後ステーション）、ならびに本発明による検査室試料分配システムを備えるラボラトリーオートメーションシステムに関する。この検査室試料分配システムに関しては、本明細書で述べられるようなすべての実施形態および変形形態が適用されうる。これらのステーションは、この検査室試料分配システムに隣り合って配置されてもよい。
【００２３】
分析前ステーションは、試料、試料容器および／または試料容器キャリアの任意の種類の前処理を実施するように構成されてもよい。
分析ステーションは、試料またはこの試料の一部、および試薬を使用して、測定信号を生成するように構成されてもよく、この測定信号は、分析物の有無、およびその分析物が存在する場合はその濃度を示す。
【００２４】
分析後ステーションは、試料、試料容器および／または試料容器キャリアの、任意の種類の後処理を実施するように構成されてもよい。
これらの分析前ステーション、分析ステーションおよび／または分析後ステーションは、キャップ取外しステーション、キャップ再取付けステーション、分取ステーション、遠心分離ステーション、記録保管ステーション、ピペッティングステーション、選別ステーション、管タイプ識別ステーション、試料品質判定ステーション、付加バッファステーション、液面高さ検知ステーション、および封止／開封ステーションのうち、少なくとも１つを備えてもよい。
【００２５】
一実施形態によれば、これらの検査室ステーションの１つのための、移送面上の少なくとも１つの入口フィールドまたは出口フィールドは、これらの幾何学形状のうちの１つを使用して識別される／印が付けられる。
【００２６】
本発明は、本発明の実施形態を概略的に示す図面に関連して、詳細に述べられるであろう。詳細には下記の通りである。
【図面の簡単な説明】
【００２７】
【図１】第１の実施形態によるラボラトリーオートメーションシステムを示す図である。
【図２】第２の実施形態によるラボラトリーオートメーションシステムを示す図である。
【図３】第１の実施形態による検査室試料分配システムの一部の概略上面図である。
【図４】第２の実施形態による検査室試料分配システムの一部の概略上面図である。
【発明を実施するための形態】
【００２８】
図１は、ラボラトリーオートメーションシステム１０を示す。ラボラトリーオートメーションシステム１０は、第１の検査室ステーション２０、第２の検査室ステーション３０、および検査室試料分配システム１００を備える。
【００２９】
検査室試料分配システム１００は、移送面１１０を備える。移送面１１０の下には、複数の電磁作動装置１２０が、格子を形成する行列状に配置される。それぞれの電磁作動装置１２０は、コイル１２６によって囲まれている各強磁性コア１２５を備える。
【００３０】
ホールセンサとして具体化されている複数の位置センサ１３０が、移送面１１０の全体にわたって分散して配置される。
検査室試料分配システム１００は、複数の試料容器キャリア１４０をさらに備える。試料容器キャリア１４０は、試験管として具体化されている各試料容器１４５を搬送することができる。図１では、例示的な目的で、各試料容器１４５を搬送する検査室試料容器キャリア１４０が、ただ１つだけ示されていることに留意されたい。通常の試料分配システム１００は、このような試料容器キャリア１４０を複数備える。
【００３１】
それぞれの試料容器キャリア１４０は、永久磁石の形をとる磁気的に活性な装置１４１を備える。したがって、電磁作動装置１２０によって発生する磁界により、試料容器キャリア１４０を移送面１１０上で駆動することができる。さらに、試料容器キャリア１４０の永久磁石１４１によって発生する磁界を位置センサ１３０で検出することができ、その結果、試料容器キャリア１４０の位置に関するフィードバックを得ることができる。
【００３２】
電磁作動装置１２０と位置センサ１３０は、共に制御装置１５０に電気的に接続される。制御装置１５０は、試料容器キャリア１４０が対応する移送経路に沿って動くように、電磁作動装置１２０を駆動することができる。制御装置１５０は、それぞれの試料容器キャリア１４０の位置を判定することもできる。
【００３３】
検査室ステーション２０、３０は、移送面１１０に隣り合って配置される。これらの２つの検査室ステーション２０、３０は、例示的な目的で図１に示されているに過ぎず、通常のラボラトリーオートメーションシステム１０は、３つ以上の検査室ステーション２０、３０を備えることに留意されたい。
【００３４】
移送面１１０上に、第１の幾何学形状１１２および第２の幾何学形状１１４が示されている。幾何学形状１１２、１１４は、閉じた円として具体化される。これらは、移送面１１０に直接プリントされる。
【００３５】
図１に示されるように、第１の幾何学形状１１２は、第１の検査室ステーション２０に隣り合って配置され、第２の幾何学形状１１４は、第２の検査室ステーション３０に隣り合って配置される。幾何学形状１１２、１１４は、検査室ステーション２０、３０用の入口フィールドおよび出口フィールドとして使用されるフィールドを画定する。言い換えれば、これらのフィールドは、試料容器１４５を、検査室ステーション２０、３０から試料容器キャリア１４０に入れるために使用され、逆も同様である。これらのフィールドは、受渡しフィールドとも称されうる。
【００３６】
ここで、図１の検査室試料分配システム１００の左部分の概略上面図を示す図３を参照すると、幾何学形状１１２、１１４が、対応する電磁作動装置１２０のコイル１２６の巻軸の上方で、その巻軸と同軸に配置される。
【００３７】
ここで、図１の検査室試料分配システム１００の左部分に関する代替実施形態の概略上面図を示す図４を参照すると、幾何学形状１１２、１１４が、対応する電磁作動装置１２０のコイル１２６の巻軸に対してｘ方向に水平方向のオフセットＯを伴って配置される。たとえば、検査室ステーション２０、３０が、試料容器キャリア１４０を検査室ステーション２０、３０に向けて動かすために、試料容器キャリア１４０に磁力を加える電磁作動装置を備える場合に、これが役に立つ可能性がある。
【００３８】
図２は、ラボラトリーオートメーションシステム１０の代替実施形態を示す。ラボラトリーオートメーションシステム１０は、代替の検査室試料分配システム１００を備える。
図２に示された状態では、幾何学形状が移送面１１０にプリントされていない。
【００３９】
検査室試料分配システム１００は、移送面１１０に２つの円を描くために使用されるように構成された、平らなテンプレート２００をさらに備える。この目的のために、この平らなテンプレートは、第１の円形の開口部２１０および第２の円形の開口部２２０を有する。これらの円形の開口部２１０、２２０は、平らなテンプレート２００が、検査室ステーション２０、３０に隣り合う、移送面１１０上の対応する位置に置かれる場合、閉じた円の形をとる幾何学形状が、図１に示された幾何学形状１１２、１１４と同様に、移送面１１０に描かれうるように構成される。
【００４０】
したがって、平らなテンプレート２００により、たとえば、ラボラトリーオートメーションシステム１０を稼働状態にする間に、操作者が、自分自身で移送面１１０上に幾何学形状を描くことが可能になる。
【図１】
2018119962.tif 000003
【図２】
2018119962.tif 000004
【図３】
2018119962.tif 000005
【図４】
2018119962.tif 000006
【外国語明細書】
2018119962000001.pdf